(57)【要約】【課題】表示部上に操作フレームを大量に開いた場合においても、操作対象のシンボルとそれに対応した操作フレームの関係性を明確にし、プラント運転員による誤操作を抑制するプラント監視制御装置、及びプラント監視制御方法を提供する。【解決手段】  プラントの操作端を模擬したシンボル１０と、シンボル１０に対応付けられた操作フレーム１１と、を表示する表示部３に表示する。表示されるシンボル１０は選択可能である。操作フレーム表示要求部４は、シンボル１０の選択結果に基づいて、選択されたシンボル１０と対応付けられた操作フレーム１１の表示要求を行う。シンボル／操作フレーム関連付け部７は、表示要求が行われた操作フレーム１１と、その操作フレーム１１に対応するシンボル１０との視覚的な関連付けを行う。操作フレーム表示制御部８は、前記関連付けを行った操作フレーム１１を、表示部３に表示させる。【選択図】図１
2015038587.tif 000002
【特許請求の範囲】
【請求項１】
プラントの操作端を模擬したシンボルと、前記シンボルに対応付けられた操作フレームと、を表示する表示部を有するプラント監視制御装置であって、
前記表示部に表示されるシンボルは選択可能であり、選択されたシンボルに対応付けられた操作フレームの表示要求を行う操作フレーム表示要求部と、
表示要求が行われた操作フレームと、その操作フレームに対応するシンボルとを視覚的に関連付けるシンボル／操作フレーム関連付け部と、
前記関連付けを行った操作フレームを、前記表示部に表示させる制御を行う操作フレーム表示制御部と、
を備えることを特徴とするプラント監視制御装置。
【請求項２】
前記シンボル／操作フレーム関連付け部は、シンボルと対応する操作フレームとを結ぶ線を描画する描画部を備え、
前記操作フレーム表示制御部は、前記関連付けを行った操作フレームと共に、前記描画部で描画した線を前記表示部に表示させることを特徴とする請求項１に記載のプラント監視制御装置。
【請求項３】
前記シンボル／操作フレーム関連付け部は、前記表示部に表示されている操作フレームのうち、表示要求が行われない操作フレームと、対応するシンボルとの視覚的な関連付けを弱くすることを特徴とする請求項１または請求項２に記載のプラント監視制御装置。
【請求項４】
前記シンボル／操作フレーム関連付け部は、前記表示要求が行われない操作フレームの透明度を高くする透明度設定部を更に備え、
前記操作フレーム表示制御部は、前記関連付けを行った操作フレームと共に、透明度を高くした操作フレームを前記表示部に表示させることを特徴とする請求項３に記載のプラント監視制御装置。
【請求項５】
前記シンボル／操作フレーム関連付け部は、選択されたシンボルを視覚的に強調することを特徴とする請求項１〜４の何れか１項に記載のプラント監視制御装置。
【請求項６】
前記シンボル／操作フレーム関連付け部は、選択されたシンボルの背景を塗りつぶす背景塗りつぶし部を更に備え、
前記操作フレーム表示制御部は、前記関連付けを行った操作フレームと共に、選択したシンボルの背景を塗りつぶして前記表示部に表示させること特徴とする請求項１〜５の何れか１項に記載のプラント監視制御装置。
【請求項７】
前記シンボル／操作フレーム関連付け部は、選択した前記シンボルの名称を通知する名称通知部を設け、
前記操作フレーム表示制御部は、前記関連付けを行った操作フレームと共に、選択したシンボルの名称を表示部に表示することを特徴とする請求項１〜６の何れか１項に記載のプラント監視制御装置。
【請求項８】
プラントの操作端を模擬したシンボルと、前記シンボルに対応付けられた操作フレームと、を表示する表示部を有するプラント監視制御方法であって、
前記表示部に表示されるシンボルは選択可能であり、選択されたシンボルと対応付けられた操作フレームの表示要求を行う操作フレーム表示要求ステップと、
表示要求が行われた操作フレームと、その操作フレームに対応するシンボルとの視覚的な関連付けを行うシンボル／操作フレーム関連付けステップと、
前記関連付けを行った操作フレームを、表示部に表示させる制御を行う操作フレーム表示制御ステップと、
を備えることを特徴とするプラント監視制御方法。
【発明の詳細な説明】
【技術分野】
【０００１】
本発明の実施形態は、プラント監視制御装置、及びプラント監視制御方法に関する。
【背景技術】
【０００２】
発電プラントや化学プラント等の監視制御を行うプラント監視制御装置では、プラントに設置された調節弁やポンプ等の各種操作端を手動操作する仕組みを持っている。この手動操作の一般的な方法としては、LCD(Liquid Crystal Display：液晶ディスプレイ)やCRT(Cathode Ray Tube：ブラウン管)に代表される表示手段に、プラントの系統図画面上の操作端を模擬したシンボルを、マウスやタッチスクリーンに代表される入力手段を介して選択することで、操作用ウィンドウである操作フレーム(フェースプレートとも呼ばれる)が表示される。その操作フレーム内の操作ＰＢ（Push Button）を選択することで、各種プラント機器の手動操作を行うが、この様な機能を以下、プラントオペレーションと呼ぶ。
【０００３】
ここで、一般的なプラント監視制御装置には、系統図画面があり、系統図画面の中には操作フレームを呼び出すことが可能なシンボルが複数設置されているため、必要に応じて同時に複数の操作フレームを表示させることが可能である。しかしながら、複数の操作フレームを同時に表示させた場合、操作フレームがどのシンボルと結びついているかが、直感的に理解することが困難であり、操作を意図したシンボルと結びついていない別の操作フレームを誤って操作してしまう危険がある。
【０００４】
そこでこの様な問題点を解決する従来技術の方法としては、シンボル選択時に表示される操作フレームの操作端名称の枠と、系統図画面上の選択したシンボルの周囲を囲っている点線の色を同じ色(例えば、選択前はグレー、選択後はグレー以外の色(例えば赤))で表示し、複数の操作フレームを同時に表示した場合、シンボルと操作フレームの関係性を表す目印とする方法がある。また、他の方法として、シンボル選択時に、該シンボルに隣接した位置に該シンボルを向いた矢印や選択中などの文字を表示させる方法がある(特許文献１参照)。
【先行技術文献】
【特許文献】
【０００５】
【特許文献１】特開平０２−２９９３９４号公報
【発明の概要】
【発明が解決しようとする課題】
【０００６】
従来システムの操作フレームの操作端名称の枠と、系統図画面上のシンボルの周囲を囲っている点線の色を同じ色にする方法では、操作フレームを大量に開いた場合に結びつけに使用する色が足りなくなり、開く枚数を制限する必要がある。また、表示枚数の制限内においても、同系色は直感的に区別できないため、操作を意図したシンボルと結びついていない別の操作フレームを誤って操作してしまう危険がある。
【０００７】
また、シンボルに隣接した位置にシンボルを向いた矢印や選択中などの文字を表示させる方法では、矢印や選択中などの文字を表示させる領域が系統図画面上に必要になり、シンボルが密集している系統図画面では実現が困難である。
【０００８】
また、ポップアップ方式で操作フレームが表示される場合では、操作フレームを複数開いた場合、該シンボルを向いた矢印や選択中などの文字が操作フレームと重なってしまい、視認性が悪くなる。
【０００９】
そこで本発明の実施形態は、上記のような従来技術の問題点を解決するために提案されたもので、操作フレームを大量に開いた場合においても、操作対象のシンボル表示とそれに対応した操作フレームの関係性を明確にし、プラント運転員による誤操作を抑制するプラント監視制御装置、及びプラント監視制御方法を提供することである。
【課題を解決するための手段】
【００１０】
上記の目的を達成するために、本発明の実施形態のプラント監視制御装置は、プラントの操作端を模擬したシンボルと、前記シンボルに対応付けられた操作フレームと、を表示する表示部を有する。本発明の実施形態のプラント監視制御装置は、以下の構成を有する。
（ａ）前記表示部に表示されるシンボルは選択可能であり、選択されたシンボルと対応付けられた操作フレームの表示要求を行う操作フレーム表示要求部を有する。
（ｂ）表示要求が行われた操作フレームと、その操作フレームに対応するシンボルとの視覚的な関連付けを行うシンボル／操作フレーム関連付け部を有する。
（ｃ）前記関連付けを行った操作フレームを、表示部に表示させる制御を行う操作フレーム表示制御部と有する。
【００１１】
また、プラント監視制御方法も本発明の一態様である。
【図面の簡単な説明】
【００１２】
【図１】本発明の第１実施形態に係るプラント監視制御装置の構成を示すブロック図である。
【図２】本発明の第１実施形態の表示部に表示するプラントの系統図を示す図である。
【図３】本発明の第１実施形態のシンボル／操作フレーム記憶部に記憶する内容を示す図である。
【図４】本発明の第１実施形態のプラント監視制御装置の動作を示すフローチャートである。
【図５】本発明の第１実施形態のシンボル／操作フレーム管理部の構成を示すブロック図である。
【図６】本発明の第１実施形態の表示部での表示例を示す図である。
【図７】本発明の第２実施形態に係るプラント監視制御装置の構成を示すブロック図である。
【図８】本発明の第２実施形態のシンボル／操作フレーム記憶部に記憶する内容を示す図である。
【図９】本発明の第２実施形態のプラント監視制御装置の動作を示すフローチャートである。
【図１０】本発明の第２実施形態の表示部での表示例を示す図である。
【図１１】本発明の第３実施形態に係るプラント監視制御装置の構成を示すブロック図である。
【図１２】本発明の第３実施形態のプラント監視制御装置の動作を示すフローチャートである。
【図１３】本発明の第３実施形態の表示部での表示例を示す図である。
【図１４】本発明の第４実施形態に係るプラント監視制御装置の構成を示すブロック図である。
【図１５】本発明の第４実施形態のプラント監視制御装置の動作を示すフローチャートである。
【図１６】本発明の第４実施形態の表示部での表示例を示す図である。
【図１７】本発明の他の実施形態に係るプラント監視制御装置の構成を示すブロック図である。
【図１８】本発明の他の実施形態の表示部での表示例を示す図である。
【発明を実施するための形態】
【００１３】
以下、本発明に係るプラント監視制御装置の実施形態について図面を参照しつつ詳細に説明する。実施形態において、重複する図面の説明は省略する。
【００１４】
［１．第１実施形態］
［１−１．構成］
以下、図１乃至４を参照しつつ、第１実施形態に係るプラント監視制御装置を説明する。本実施形態は、表示部３に表示されているシンボルをユーザであるプラント運転員が選択した場合、その選択されたシンボル１０と、関連する操作フレーム１１とが線で結びつけられて表示される。シンボル１０と、操作フレーム１１との表示は、（１）〜（４）の手順により、行う。
（１）ユーザが表示部３に表示されているシンボル１０のうち、操作フレーム１１を表示したいシンボル１０を選択。
（２）選択したシンボル１０に対応する操作フレーム１１の表示要求をする。
（３）表示要求があった操作フレーム１１と、対応するシンボル１０を線で結び関連付ける。
（４）関連付けた操作フレーム１１と、操作フレーム１１とシンボル１０を結ぶ線とを表示する。
【００１５】
図１を用いて、本発明が具備する手段とデータの構成を説明する。
本実施形態のプラント監視制御装置１は、（１）〜（４）の手順で比較を行うために、入力部２、表示部３、操作フレーム表示要求部４、シンボル／操作フレーム管理部５、シンボル／操作フレーム記憶部６、シンボル／操作フレーム関連付け部７、及び操作フレーム表示制御部８とを備える。
【００１６】
入力部２は、マウスやタッチスクリーン、キーボードに代表される入力装置である。
【００１７】
表示部３は、ＬＣＤやＣＲＴ等のディスプレイ装置である。表示部３には、プラントの系統画面を表示するものである。図２に示すように、表示部３には、プラントの系統図が表示される。表示されるプラントの系統図には、操作端を模したシンボル１０、シンボル１０の操作フレーム１１が表示される。ユーザは、入力部２を介して、表示部３に表示されたシンボル１０を選択することが可能な構成とする。
【００１８】
操作フレーム表示要求部４は、ユーザが表示部３に表示されたシンボル１０を選択した際、選択されたシンボル１０に対応する操作フレーム１１の表示要求をシンボル／操作フレーム管理部５に対して出力する。
【００１９】
シンボル／操作フレーム管理部５は、操作フレーム表示要求部４からの操作フレーム１１の表示要求に基づいて、シンボル／操作フレーム記憶部６の表示要求列の内容を更新すると共に、シンボル／操作フレーム記憶部６の内容をシンボル／操作フレーム関連付け部７に通知する。シンボル／操作フレーム管理部５は、図３に示すように、表示要求列クリア部５１、表示要求列更新部５２、通知部５３とを備える。
【００２０】
表示要求列クリア部５１は、シンボル／操作フレーム記憶部６の表示要求列の内容をクリアする。クリアの方法は、表示要求列のすべてを“０”にすることで行う。
【００２１】
表示要求列更新部５２は、操作フレーム表示要求部４からの操作フレーム１１の表示要求に基づいて、表示要求列の内容を更新する。すなわち、操作フレーム表示要求部４からの操作フレーム１１の表示要求があった場合には、その操作フレーム１１に対応するシンボル列の表示要求列を“１”にすることで行う。
【００２２】
通知部５３は、表示要求されたシンボル行の情報をシンボル／操作フレーム関連付け部７に通知する。すなわち、シンボル／操作フレーム記憶部６において、表示要求列に“１”を立てたシンボルの情報を通知する。
【００２３】
シンボル／操作フレーム記憶部６は、表示部に表示されるプラントの系統図のシンボルと、操作フレーム１１と、操作フレーム１１の表示要求の有無を関連づけて記憶する。図４は、シンボル／操作フレーム記憶部６の例を示す図である。図４では、プラントの系統図のシンボルを、シンボル番号とシンボル名称で示し、操作フレーム１１を割り付けられた番号で示し、表示要求の有無を“０”、“１”で示している。表示要求における“０”は、表示要求がされていないことを示し、“１”は、表示要求がされていることを示す。
【００２４】
シンボル／操作フレーム関連付け部７では、シンボル／操作フレーム管理部５で表示要求列に“１”を立てたシンボルと、対応するフレームとの関連付けを行う。関連付けは、ユーザが選択したシンボル１０に対応する操作フレーム１１が、表示部３上で視覚的に関連付けられるようにする。関連付けの手段としては、表示部３上でシンボル１０と対応する操作フレーム１１とを結ぶ線を、描画する。
【００２５】
操作フレーム表示制御部８は、ユーザが選択したシンボル１０に対応する操作フレーム１１と、シンボル１０と操作フレーム１１とを結ぶ線を表示部３において表示するための表示制御を行う。一例としては、シンボル／操作フレーム関連付け部７で、シンボル１０と対応する操作フレーム１１とを結ぶ線の描画終了の通知を受けた場合に、その操作フレーム１１と線を表示する。
【００２６】
［１−２．作用］
このように構成された本実施形態のプラント監視制御装置１の動作を図５を用いて詳述する。図５は、図１のプラント監視制御装置１において、ユーザが選択したシンボル１０に対応する操作フレーム１１を、線で結んで表示する場合のフローチャートである。
【００２７】
ユーザは操作フレーム１１により、プラントオペレーションを行うため、入力部２を介し、表示部３に表示されたプラントの系統図における操作端を模擬したシンボル１０を選択する（ＳＴＥＰ１１）。
【００２８】
操作フレーム表示要求部４は、ユーザが選択したシンボル１０に対応する操作フレーム１１の表示要求信号を生成し、シンボル／操作フレーム管理部５へ通知する（ＳＴＥＰ１２）。
【００２９】
シンボル／操作フレーム情報管理部５は、操作フレーム表示要求部４から受けた表示要求信号を元に、シンボル／操作フレーム記憶部６内の表示要求列を全て“０”にした後（ＳＴＥＰ１３）、表示要求されたシンボル行の表示要求列に“１”を立てる処理する（ＳＴＥＰ１４）。その後、表示要求されたシンボル行の情報を、シンボル１０と操作フレーム１１をシンボル／操作フレーム関連付け部７へ通知する。
【００３０】
シンボル／操作フレーム関連付け部７は、シンボル／操作フレーム管理部５から受けた内容から、シンボル行の表示要求列に“１”が立ったシンボル１０と、そのシンボルに対応する操作フレーム１１間を結びつける線を描画する（ＳＴＥＰ１５）。
【００３１】
関連付け後、操作フレーム表示制御部８は、表示部３に操作フレームを表示させる。これにより、図６に示すように表示部３の画面上には、ユーザが選択したシンボルの操作フレームとが線で結ばれた状態で表示される（ＳＴＥＰ１６）。この時、線の代わりに矢印で結んでも良い。
【００３２】
［１−３．効果］
本実施形態のプラント監視制御装置１によれば、ユーザが表示要求を行ったシンボル１０と操作フレーム１１間が線で結ばれる。これにより、表示部３に複数の操作フレーム１１を表示させた場合においても、個々にシンボル１０と操作フレーム１１が線で結びついているため、操作対象となるシンボル１０とそれに対応した操作フレーム１１の関係性が明確になり、ユーザによる誤操作を抑制することが可能である。これにより、視認性に優れたプラント監視制御装置が実現できる。
【００３３】
また、本実施形態では、シンボル／操作フレーム関連付け部７において、シンボル１０と対応するフレームとを線で結んだが、表示部３上で視覚的に関連付けられれば、その他の関連付け方法を利用することもできる。例えば、線で結ぶ代りに、矢印を使用しても良い。
【００３４】
［２．第２実施形態］
［２−１．構成］
第２実施形態にかかるプラント監視制御装置は、第１実施形態のプラント監視制御装置にフィードバック処理部１２を追加し、操作フレーム１１が複数表示されている場合に、ユーザであるプラント運転員が選択したシンボル１０に対応する操作フレーム１１以外の操作フレーム１１の視覚的な関連づけを弱くするように、シンボル／操作フレーム関連付け部７及びシンボル／操作フレーム記憶部６の構成を変更したものである。
【００３５】
本実施形態のプラント監視制御装置１１について、図７を参照し説明する。図７は、本実施形態に係るプラント監視制御装置１を示すブロック図である。なお、第１実施形態と同一の構成には、同一の符号を付し、重複する説明は省略する。
【００３６】
フィードバック処理部１２は、操作フレーム表示制御部８における状態更新状態をシンボル／操作フレーム記憶部６へフィードバックする。フィードバックは、表示部３の表示制御状態を監視することで行う。表示部３に表示されていない操作フレーム１１を表示する場合には、フィードバック処理部１２は、シンボル／操作フレーム記憶部６の表示要求列に“１”が立っているシンボル行の表示状況列に“１”を立てる。
【００３７】
シンボル／操作フレーム記憶部６は、表示部３に表示されるシンボル１０と、操作フレーム１１と、操作フレーム１１の表示要求の有無と、操作フレーム１１の表示状況と、を関連づけて記憶する。図８は、シンボル／操作フレーム記憶部６の例を示す図である。図８では、表示状況を“０”、“１”で示している。表示状況における“０”は、表示されていないことを示し、“１”は、表示されていることを示す。
【００３８】
シンボル／操作フレーム管理部５は、表示要求列に“１”を立てたシンボル１０の情報、及び表示状況列に“１”を立てたシンボル１０の情報を、シンボル／操作フレーム関連付け部７に対して出力する。
【００３９】
シンボル／操作フレーム関連付け部７は、描画部１３と透明度設定部１４を設ける。描画部１３は、シンボル／操作フレーム管理部５で表示要求列に“１”を立てたシンボル１０と、対応するフレームとの関連付けを行う。描画部１３では、関連付けの手段として、シンボル１０と対応するフレームとを結ぶ線を描画する。透明度設定部１４は、シンボル／操作フレーム管理部５で表示要求列に“０”、且つ、表示状況列に“１”を立てたシンボル１０と対応するフレームとの視覚的な関連付けを弱める処理を行う。透明度設定部１４では、視覚的な関連付けを弱める処理として、該当するフレーム及び、そのフレームとシンボル１０とを結ぶ線の透明度を高く設定する。
【００４０】
操作フレーム表示制御部８は、ユーザが選択したシンボル１０に対応する操作フレーム１１と、シンボル１０と操作フレーム１１とを結ぶ線を表示部３すると共に、ユーザが選択しないシンボル１０に対応する操作フレーム１１の透明度を高くして表示するための表示制御を行う。
【００４１】
［２−２．作用］
このように構成された本実施形態のプラント監視制御装置１の動作を図９を用いて詳述する。図９は、図７のプラント監視制御装置１において、ユーザが選択したシンボル１０に対応する操作フレーム１１を該シンボル１０と線で結んで表示すると共に、ユーザが選択しない操作フレーム１１の透明度を低く設定する場合のフローチャートである。
【００４２】
図９に示すように、本実施形態の動作は、ユーザがプラントの系統図画面上の操作端を模擬したシンボル１０を選択する工程（ＳＴＥＰ２１）から、表示要求されたシンボル行の表示要求列に１を立てる処理する工程（ＳＴＥＰ２４）までは、前記実施形態のＳＴＥＰ１１〜ＳＴＥＰ１４と同様である。
【００４３】
本実施形態では、表示要求されたシンボル行の表示要求列に１を立てる処理する工程後に、シンボル／操作フレーム記憶部６内の表示要求されたシンボル行の表示状況列の値を確認する（ＳＴＥＰ２５）。
【００４４】
表示状況列の何れかの行の値が“１”であり（ＳＴＥＰ２５の１）、且つ、表示要求列が“０”となるシンボル行の情報を、透明度設定部１４へ通知する。透明度設定部１４では、シンボル行の表示状況列が“１”であり、表示要求列が“０”となるシンボル１０と、対応する操作フレーム１１及び線の透明度を高く設定する（ＳＴＥＰ２６）。その後、描画部１３において、シンボル行の表示要求列に“１”が立ったシンボル１０と、そのシンボルに対応する操作フレーム１１間を結びつける線を描画する（ＳＴＥＰ２７）。
【００４５】
一方、表示状況列の値が“０”ならば（ＳＴＥＰ２５の０）、表示要求されたシンボル行の情報を、描画部１３へ通知する。描画部１３は、シンボル／操作フレーム管理部５から受けた内容から、シンボル行の表示要求列に“１”が立ったシンボル１０と、そのシンボルに対応する操作フレーム１１間を結びつける線を描画する（ＳＴＥＰ２７）。
【００４６】
その後、操作フレーム表示制御部８は、画面上にユーザが選択したシンボル１０の操作フレーム１１を図１０に例示するよう表示部３へ表示させる。この際、表示部３の表示内容が更新され、ユーザの選択がない操作フレーム１１は、透明度を高くして表示される（ＳＴＥＰ２８）。
【００４７】
［２−３．効果］
本実施形態のプラント監視制御装置によれば、前記実施形態の効果に加えて、表示部３に表示されている操作フレーム１１の内、ユーザが選択していないシンボル１０と対応づけられる操作フレーム１１の透明度を高く設定することが可能となる。これにより、複数の操作フレーム１１を表示させている場合でも、ユーザは、選択しているシンボル１０、または操作フレーム１１の判断が直感的に行える。これにより、視認性に優れたプラント監視制御装置が実現できる。
【００４８】
また、本実施形態では、透明度設定部において、視覚的な関連付けを弱める処理として、操作フレーム１１及び、その操作フレーム１１とシンボル１０とを結ぶ線の透明度を高くする設定を行ったが、視覚的な関連付けを弱める処理であれば他の方法を利用することもできる。例としては、次の（１）〜（３）の方法を利用することもできる。
（１）操作フレーム１１、及び操作フレーム１１とシンボル１０とを結ぶ線の透明度を１００にし透明とする。
（２）透明度を高くする対象を操作フレーム１１とシンボル１０とを結ぶ線のみとする。
（３）対象となる操作フレーム１１、及びその操作フレーム１１とシンボル１０とを結ぶ線の透明度を変更するのではなく、破線を用いて操作フレーム１１、及びその操作フレーム１１とシンボル１０とを結ぶ線を描画する。
【００４９】
［３．第３実施形態］
［３−１．構成］
第３実施形態にかかるプラント監視制御装置は、前記第２実施形態のプラント監視制御装置において、ユーザであるプラント運転員が選択したシンボル１０を強調する処理を行うために背景塗りつぶし部１５をシンボル／操作フレーム関連付け部７に追加したものである。
【００５０】
本実施形態のプラント監視制御装置１について、図１１を参照し説明する。図１１は、本実施形態に係るプラント監視制御装置１を示すブロック図である。なお、前記実施形態と同一の構成には、同一の符号を付し、重複する説明は省略する。
【００５１】
シンボル／操作フレーム関連付け部７は、描画部１３と、透明度設定部１４と、背景塗りつぶし部１５とを設ける。背景塗りつぶし部１５は、シンボル／操作フレーム管理部５で表示要求列に“１”を立てたシンボル１０と、対応するフレームを強調するための処理を行う。背景塗りつぶし部では、表示要求列に“１”が立っているシンボル１０の背景を塗りつぶす。
【００５２】
［３−２．作用］
このように構成された本実施形態のプラント監視制御装置１の動作を図１２を用いて詳述する。図１２は、図７のプラント監視制御装置１において、ユーザが選択したシンボル１０に対応する操作フレーム１１を該シンボル１０と線で結んで表示すると共に、そのシンボル１０を強調するためにシンボル１０の背景を塗りつぶす処理を行う場合のフローチャートである。
【００５３】
図１２に示すように、本実施形態の動作は、ユーザがシンボル１０を選択する工程（ＳＴＥＰ３１）から、表示要求列に１が立っているシンボル１０と操作フレーム１１を線で結ぶ工程（ＳＴＥＰ３７）までは、前記実施形態のＳＴＥＰ２１〜ＳＴＥＰ２７と同様である。
【００５４】
本実施形態では、表示要求列に“１”が立っているシンボル１０と操作フレーム１１を結ぶ線を描画する工程後に、表示要求列に“１”が立っているシンボル１０の背景を塗りつぶす処理を行う（ＳＴＥＰ３８）。この際、表示要求列が“０”のシンボル１０の背景に対しては、塗りつぶしを行わない。
【００５５】
その後、操作フレーム表示制御部８は、画面上にユーザが選択したシンボル１０の操作フレーム１１を図１３に例示するよう表示部３へ表示させる。この際、表示部３の表示内容が更新され、ユーザが選択したシンボル１０の背景は塗りつぶされる。（ＳＴＥＰ３９）。
【００５６】
［３−３．効果］
本実施形態のプラント監視制御装置によれば、前記第２実施形態の効果に加えて、選択しているシンボル１０の背景を塗り潰して表示させることでシンボル１０を強調させ、シンボル１０の系統図画面上のどの位置に設置してあるかを直感的に理解できる。これにより、視認性に優れたプラント監視制御装置が実現できる。
【００５７】
また、本実施形態ではユーザが選択したシンボル１０を強調する処理として、背景塗りつぶし部１５においてシンボル１０の背景を塗りつぶしたが、シンボル１０を強調するための手段としては、これに限らない。例としては、次の（１）（２）の方法を利用することもできる。
（１）シンボル１０以外に操作フレーム１１やシンボル１０と操作フレーム１１を結ぶ線の背景を塗りつぶす。
（２）ユーザが選択したシンボル１０の背景を塗りつぶすだけでなく、塗りつぶした背景を点滅させる。
【００５８】
［４．第４実施形態］
［４−１．構成］
第４実施形態にかかるプラント監視制御装置は、前記各実施形態のプラント監視制御装置において、ユーザであるプラント運転員が選択したシンボル１０の名称を、表示部３に設けた名称表示領域にさせる名称通知部１６をシンボル／操作フレーム関連付け部７に追加したものである。
【００５９】
本実施形態のプラント監視制御装置１について、図１４を参照し説明する。図１４は、本実施形態に係るプラント監視制御装置を示すブロック図である。なお、前記実施形態と同一の構成には、同一の符号を付し、重複する説明は省略する。
【００６０】
シンボル／操作フレーム関連付け部７は、描画部１３と、透明度設定部１４と、背景塗りつぶし部１５、名称通知部１６とを設ける。名称通知部１６は、表示要求列に“１”が立っているシンボル１０の名称を操作フレーム表示制御部８に対して通知する。
【００６１】
［４−２．作用］
このように構成された本実施形態のプラント監視制御装置の動作を図１５を用いて詳述する。図１５は、図１４のプラント監視制御装置において、ユーザが選択したシンボル１０に対応する操作フレーム１１を該シンボル１０と線で結んで表示すると共に、そのシンボル１０の名称を表示部３で表示するための処理を行う場合のフローチャートである。
【００６２】
図１５に示すように、本実施形態の動作は、ユーザがシンボル１０を選択する工程（ＳＴＥＰ４１）から、表示要求列に１が立っているシンボル１０の背景を塗りつぶす工程（ＳＴＥＰ４８）までは、前記実施形態のＳＴＥＰ３１〜ＳＴＥＰ３８と同様である。
【００６３】
本実施形態では、表示要求列に１が立っているシンボル１０の背景を塗りつぶす工程後に、表示要求列に“１”が立っているシンボル１０の名称を名称通知部１６により通知する（ＳＴＥＰ４９）。
【００６４】
その後、操作フレーム表示制御部８は、画面上の操作フレーム１１に関連付けた操作フレーム１１を図１６に例示するよう表示部３へ表示させる。表示部３には、シンボル管理テーブル内の表示要求列に“１”が立っているシンボル１０の名称を画面エリア内のいずれかの領域に表示される（ＳＴＥＰ５０）。
【００６５】
［４−３．効果］
本実施形態のプラント監視制御装置によれば、前記第３実施形態の効果に加えて、画面エリア内のいずれかの領域にシンボル名称を表示させることで、選択しているシンボル１０、または操作フレーム１１の判断が直感的に行える。これにより、視認性に優れたプラント監視制御装置が実現できる。
【００６６】
（その他の実施形態）
本明細書においては、本発明に係る複数の実施形態を説明したが、これらの実施形態は例として提示したものであって、発明の範囲を限定することを意図していない。具体的には、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００６７】
例えば、第４実施形態のシンボル／操作フレーム関連付け部７において、図１７に示すような、色彩変更部１７、付帯記号表示部１８とを更に設けることもできる。この色彩変更部１７では、シンボル／操作フレーム管理部５で表示要求列に“１”が立ったシンボル１０と、対応する操作フレーム１１の色彩を変更を行う。これにより、表示部３において、図１８に示すように、画面上にユーザが選択したシンボル１０と操作フレーム１１の色彩を変更することができる。
【００６８】
また、付帯記号表示部１８では、シンボル／操作フレーム管理部５で表示要求列に“１”が立ったシンボル１０に対して付帯記号の表示させる。これにより、表示部３において、図１８に示すように、画面上でユーザが選択したシンボル１０の近傍に矢印を表示させることができる。
【００６９】
さらに、第１乃至第４実施形態を全て又はいずれかを組み合わせたものも包含され、その他の様々な形態で実施されることが可能である。すなわち、第４実施形態のシンボル／操作フレーム関連付け部７には、シンボル／操作フレーム関連付け部７は、描画部１３の他に、透明度設定部１４と、背景塗りつぶし部１５、名称通知部１６を設けたが、シンボル／操作フレーム関連付け部７の構成は、描画部１３の他は任意である。
【符号の説明】
【００７０】
１    …  プラント監視制御装置
２    …  入力部
３    …  表示部
４    …  操作フレーム表示要求部
５    …  シンボル／操作フレーム管理部
６    …  シンボル／操作フレーム記憶部
７    …  シンボル／操作フレーム関連付け部
８    …  操作フレーム表示制御部
１０  …  シンボル
１１  …  操作フレーム
１２  …  フィードバック処理部
１３  …  描画部
１４  …  透明度設定部
１５  …  背景塗りつぶし部
１６  …  名称通知部
１７  …  色彩変更部
１８  …  付帯記号表示部
【図１】
2015038587.tif 000003
【図３】
2015038587.tif 000004
【図４】
2015038587.tif 000005
【図５】
2015038587.tif 000006
【図７】
2015038587.tif 000007
【図８】
2015038587.tif 000008
【図９】
2015038587.tif 000009
【図１１】
2015038587.tif 000010
【図１２】
2015038587.tif 000011
【図１４】
2015038587.tif 000012
【図１５】
2015038587.tif 000013
【図１７】
2015038587.tif 000014
【図２】
2015038587.tif 000015
【図６】
2015038587.tif 000016
【図１０】
2015038587.tif 000017
【図１３】
2015038587.tif 000018
【図１６】
2015038587.tif 000019
【図１８】
2015038587.tif 000020